【手続補正書】
【提出日】平成19年9月26日(2007.9.26)
【手続補正１】
【補正対象書類名】明細書
【補正対象項目名】特許請求の範囲
【補正方法】変更
【補正の内容】
【特許請求の範囲】
【請求項１】  四重極イオントラップ装置を駆動する方法であって、
デジタル信号を形成するステップと、
１組のスイッチを制御して高電圧レベルと低電圧レベル間で交互にスイッチを切り換え時間変化矩形波電圧を生成するために、前記デジタル信号を使用するステップと、
所定の範囲の質量対電荷比でイオンをトラップするため前記時間変化矩形波電圧を前記四重極イオントラップ装置に供給するステップと、
前記四重極イオントラップ装置によってトラップされるイオンの前記所定の範囲の質量対電荷比を変化させるため前記デジタル信号を変化させるステップと、
前記装置中でイオンの質量選択共振振動運動を発生させるため前記四重極イオントラップ装置に時間変化双極励起電圧をさらに供給するステップとを含む方法。
【請求項２】  前記デジタル信号を形成する前記ステップが、
クロック・パルスを生成するステップと、
前記クロック・パルスをカウントするステップと、
クロック・パルスの前記カウントがそれぞれの事前設定値に達する時前記切り換えを発生させるステップとを含む、請求項１に記載の方法。
【請求項３】  前記時間変化矩形波の反復率及びデューティサイクルが、直接デジタル・シンセサイザ及び比較器の組み合わせによって制御される、請求項１に記載の方法。
【請求項４】  前記時間変化矩形波の反復率と前記時間変化双極励起電圧の励起周波数の一方を固定し、前記反復率と前記励起周波数のもう一方を走査し、それによって前記共振振動運動を経験するイオンの前記質量対電荷比を順次変化させるステップを含む、請求項１乃至３の何れか１項に記載の方法。
【請求項５】  前記時間変化矩形波電圧の反復率と前記時間変化双極励起電圧の励起周波数とが一定の関係を有し、所定の範囲を通じて前記反復率及び前記励起周波数を走査し、それによって異なった質量対電荷比を有するイオンが順次共振振動運動を経験するようにするステップを含む、請求項１乃至３の何れか１項に記載の方法。
【請求項６】  前記時間変化矩形波電圧が周波数可変方形波電圧である、請求項１乃至５の何れか１項に記載の方法。
【請求項７】  前記時間変化矩形波電圧がＤＣオフセットを有する、請求項１乃至５の何れか１項に記載の方法。
【請求項８】  前記四重極イオントラップ装置が、３Ｄ四重極電界を生成することのできるイオントラップ装置である、請求項１乃至７の何れか１項に記載の方法。
【請求項９】  前記四重極イオントラップ装置が、３Ｄ四重極電界と高次多重電界とを生成することのできるイオントラップ装置である、請求項１乃至７の何れか１項に記載の方法。
【請求項１０】  前記四重極イオントラップ装置が線形四重極イオントラップ装置である、請求項１乃至７の何れか１項に記載の方法。
【請求項１１】  前記共振振動運動が、外部検出器による検出のために、前記四重極イオントラップ装置からイオンを選択的に放出を発生させることができるものである、請求項１乃至１０の何れか１項に記載の方法。
【請求項１２】  前記共振振動運動が、前記四重極イオントラップ装置によってトラップされるイオンの運動エネルギーを増大することができる、請求項１乃至１０の何れか１項に記載の方法。
【請求項１３】  前記時間変化双極励起電圧が多重周波数成分を有し、質量範囲内のイオンを励起しイメージ電流検出のためのイメージ電流を誘発することができる、請求項１乃至１２の何れか１項に記載の方法。
【請求項１４】  前記時間変化双極励起電圧が矩形波形を有し、さらにスイッチを制御することによって生成される、請求項１乃至１３の何れか１項に記載の方法。
【請求項１５】  前記一定の関係が、前記励起周波数が前記反復率に比例するというものであり、周波数分割器によって達成される、請求項５に記載の方法。
【請求項１６】  四重極イオントラップ装置を駆動する装置であって、
デジタル信号を形成する手段と、
１組のスイッチであって、前記デジタル信号によって制御され前記スイッチを高電圧レベルと低電圧レベル間で交互に切り換え時間変化矩形波電圧を生成し、使用時に所定の範囲の質量対電荷比でイオンをトラップするためこの電圧を前記四重極イオントラップ装置に供給する様に構成される前記１組のスイッチと、
前記四重極イオントラップ装置によってトラップされるイオンの前記所定の範囲の質量対電荷比を変化させるため前記デジタル信号を変化させる手段と、
前記装置中でイオンの質量選択共振振動運動を発生させるため前記四重極イオントラップ装置に時間変化双極励起電圧を供給する手段、を備える装置。
【請求項１７】  デジタル信号を形成する前記手段が、クロック・パルスを生成する手段と、前記クロック・パルスをカウントする手段と、パルスの前記カウントがそれぞれの事前設定値に達する時前記切り換えを発生させるステップとを含む、請求項１６に記載の装置。
【請求項１８】  前記時間変化矩形波の反復率及びデューティサイクルが、直接デジタル・シンセサイザ及び比較器の組み合わせによって制御される、請求項１６に記載の装置。
【請求項１９】  前記時間変化矩形波の反復率と前記時間変化双極励起電圧の励起周波数との一方を固定し、前記反復率と前記励起周波数とのもう一方を走査し、それによって前記共振振動運動を経験するイオンの前記質量対電荷比を順次変化させる手段を含む、請求項１６乃至１８の何れか１項に記載の装置。
【請求項２０】  前記時間変化矩形波電圧の反復率と前記時間変化双極励起電圧の励起周波数とが一定の関係を有し、所定の範囲を通じて前記反復率及び前記励起周波数を走査し、それによって異なった質量対電荷比を有するイオンが順次前記共振振動運動を経験するようにする手段を含む、請求項１６乃至１８の何れか１項に記載の装置。
【請求項２１】  前記時間変化矩形波電圧が周波数可変方形波電圧である、請求項１６乃至２０の何れか１項に記載の装置。
【請求項２２】  前記時間変化矩形波電圧がＤＣオフセットを有する、請求項１６乃至２０の何れか１項に記載の装置。
【請求項２３】  前記共振振動運動が、外部検出器によって検出するための前記四重極イオントラップ装置からのイオンの選択的放出を発生させることができる、請求項１６乃至２２の何れか１項に記載の装置。
【請求項２４】  前記共振振動運動が、前記四重極イオントラップ装置によってトラップされるイオンの運動エネルギーを増大することができる、請求項１６乃至２２の何れか１項に記載の装置。
【請求項２５】  前記時間変化双極励起電圧が多重周波数成分を有し、質量範囲内のイオンを励起しイメージ電流検出のためのイメージ電流を誘発することができる、請求項１６乃至２２の何れか１項に記載の装置。
【請求項２６】  前記時間変化双極励起電圧が矩形波形を有し、さらにスイッチを制御することによって生成される、請求項１６乃至２５の何れか１項に記載の装置。
【請求項２７】  前記励起周波数と前記反復率を一定の比率に維持することによって前記一定の関係を確立する周波数分割器を含む、請求項２０に記載の装置。
【請求項２８】  請求項１６乃至２７の何れか１項に記載の装置を組み込んだ、四重極イオントラップ装置。
【請求項２９】  ３Ｄ回転対称四重極イオントラップ装置である、請求項２８に記載の四重極イオントラップ装置。
【請求項３０】  線形四重極イオントラップ装置である、請求項２８に記載の四重極イオントラップ装置。